(57)【要約】【課題】  装置全体を良好に湾曲させることができると共に、装置全体を湾曲させても、良好に情報を表示することができる表示装置を提供する。【解決手段】  透明な表面電極層５と背面電極層６との間に表示層７を設けた表示素子２と、この表示素子２の上面に設けられた透明な表面保護膜３と、表示素子２の下面に設けられた背面保護膜４とを備え、背面保護膜４の下面に多数の折曲溝１７を表示素子２が湾曲する方向に沿って等間隔で平行に設けた。従って、装置全体を湾曲させて背面保護膜４が上側に向けて凸となるように湾曲するときに、背面保護膜４の多数の折曲溝１７によって背面保護膜４の湾曲変形による延びを吸収できる。このため、背面保護膜４の湾曲に応じて表示素子２が湾曲方向に延びるのを軽減できるので、装置全体を良好に湾曲させることができると共に、装置全体を湾曲させても表示素子２によって良好に情報を表示できる。【選択図】        図３
2008107440.tif 000002
【特許請求の範囲】
【請求項１】
透明な表面電極層と背面電極層との間に表示層を設けた表示素子と、
前記透明な表面電極層の表面に設けられた透明な表面保護膜と、
前記背面電極層の背面に設けられた背面保護膜とを備えた表示装置において、
前記背面保護膜の背面に折曲溝を、前記表示素子が湾曲する方向に沿って等間隔で設けたことを特徴とする表示装置。
【請求項２】
透明な表面電極層と背面電極層との間に表示層を設けた複数の表示素子と、
この複数の表示素子を所定間隔離して配列させた状態で前記複数の表示素子の各表面に連続して設けられた透明な表面保護膜と、
前記複数の表示素子の各背面に連続して設けられた背面保護膜とを備え、
前記複数の表示素子の間に位置する前記表面保護膜の表面と前記背面保護膜の背面とのうち、少なくとも前記背面保護膜の背面に、折曲溝を前記表示素子の配列方向に沿って等間隔で設けたことを特徴とする表示装置。
【請求項３】
前記複数の表示素子に対応する箇所の前記背面保護膜の背面には、前記折曲溝が前記複数の表示素子の配列方向に沿って等間隔で設けられていることを特徴とする請求項２に記載の表示装置。
【請求項４】
前記背面保護膜は、前記表示素子の前記背面電極層の背面に積層される防湿性および光反射機能を有する合成樹脂製の第１背面フィルム層と、この第１背面フィルム層に積層される防湿性の高い合成樹脂製の第２背面フィルム層との２層構造で、前記第２背面フィルム層に前記折曲溝が設けられていることを特徴とする請求項１〜３のいずれかに記載の表示装置。
【請求項５】
前記表面保護膜は、防湿性の高い合成樹脂製の第１表面フィルム層と、紫外線吸収機能を備えた合成樹脂製の第２表面フィルム層との２層構造であることを特徴とする請求項１〜４のいずれかに記載の表示装置。
【請求項６】
前記表示素子の前記表示層は、微細なカプセルを前記表面電極層と前記背面電極層との間に平面的に敷き詰めた構成で、前記表示素子は、前記表面電極層と前記背面電極層とに電圧が印加されると、前記微細なカプセル内の微粒子が電気的に移動して情報を表示することを特徴とする請求項１〜５のいずれかに記載の表示装置。
【請求項７】
前記表示素子の前記表示層は、エレクトロルミネッセンス発光層であり、前記表示素子は、前記表面電極層と前記背面電極層とに電圧が選択的に印加されると、前記エレクトロルミネッセンス発光層が選択的に発光して情報を表示することを特徴とする請求項１〜５のいずれかに記載の表示装置。
【発明の詳細な説明】
【技術分野】
【０００１】
この発明は、電子腕時計などの腕装着型の電子機器や、情報を湾曲させて表示する電子機器などに用いられる表示装置に関する。
【背景技術】
【０００２】
従来、電子腕時計などの電子機器に用いられる表示装置には、マイクロカプセルを用いた表示装置が知られている。この種の表示装置は、特許文献１に記載されているように、透明な表面電極層と背面電極層との間に表示層としてマイクロカプセルを平面的に敷き詰めることにより、表示素子を構成し、この表示素子の背面電極層を基板上に設け、この状態で表面電極層の表面に透明な保護膜を設けた構成になっている。
【特許文献１】特開２００６−１４５６１５号
【０００３】
このような従来の表示装置においては、表面電極層と背面電極層とに電圧が印加されると、表示層のマイクロカプセル内の微粒子が電気泳動によって移動することにより、情報を表示する平面型のものであり、表示素子の背面電極層が設けられる基板を屈曲可能な合成樹脂製のフィルムで形成することにより、腕に取り付けて使用する場合、装置全体を湾曲させることができる。
【発明の開示】
【発明が解決しようとする課題】
【０００４】
しかしながら、このような従来の表示装置では、表示素子の背面電極層が設けられる基板を屈曲可能な合成樹脂製のフィルムで形成しただけであると、装置全体を湾曲させて使用する場合、表示素子の背面電極層が設けられた合成樹脂製のフィルムからなる基板が湾曲すると、この基板の湾曲に伴って表示素子および表面保護膜が湾曲方向に延びるため、表面電極層と背面電極層との間に設けられた表示層も湾曲方向に延びてしまい、良好に情報を表示することができないという問題がある。
【０００５】
この発明が解決しようとする課題は、装置全体を良好に湾曲させることができると共に、装置全体を湾曲させても、良好に情報を表示することができる表示装置を提供することである。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
【０００７】
請求項１に記載の発明は、図１〜図７、図１６〜図１８に示すように、透明な表面電極層（５）と背面電極層（６）との間に表示層（７）を設けた表示素子（２、３１）と、前記透明な表面電極層の表面に設けられた透明な表面保護膜（３）と、前記背面電極層の背面に設けられた背面保護膜（４）とを備えた表示装置において、
前記背面保護膜の背面に折曲溝（１７、１８ａ〜１８ｃ、３３）を、前記表示素子が湾曲する方向に沿って等間隔で設けたことを特徴とする表示装置である。
【０００８】
請求項２に記載の発明は、図８〜図１５、図１９、図２０に示すように、透明な表面電極層（５）と背面電極層（６）との間に表示層（７）を設けた複数の表示素子（２１〜２３、４１〜４３）と、この複数の表示素子を所定間隔離して配列させた状態で前記複数の表示素子の各表面に連続して設けられた透明な表面保護膜（３）と、前記複数の表示素子の各背面に連続して設けられた背面保護膜（４）とを備え、
前記複数の表示素子の間に位置する前記表面保護膜の表面と前記背面保護膜の背面とのうち、少なくとも前記背面保護膜の背面に、折曲溝（２５、２８、４５）を前記表示素子の配列方向に沿って等間隔で設けたことを特徴とする表示装置である。
【０００９】
請求項３に記載の発明は、図１３〜図１５に示すように、前記複数の表示素子（２１〜２３、４１〜４３）に対応する箇所の前記背面保護膜（４）の背面に、前記折曲溝（２８）が前記複数の表示素子の配列方向に沿って等間隔で設けられていることを特徴とする請求項２に記載の表示装置である。
【００１０】
請求項４に記載の発明は、図１〜図２０に示すように、前記背面保護膜（４）が、前記表示素子（２、２１〜２３、３１、４１〜４３）の前記背面電極層（６）に積層される防湿性および光反射機能を有する合成樹脂製の第１背面フィルム層（１４）と、この第１背面フィルム層に積層される防湿性の高い合成樹脂製の第２背面フィルム層（１５）との２層構造で、前記第２背面フィルム層に前記折曲溝（１７、１８ａ〜１８ｃ、２５、２８、３３、４５）が設けられていることを特徴とする請求項１〜３のいずれかに記載の表示装置である。
【００１１】
請求項５に記載の発明は、図１〜図２０に示すように、前記表面保護膜（３）が、防湿性の高い合成樹脂製の第１表面フィルム層（１１）と、紫外線吸収機能を備えた合成樹脂製の第２表面フィルム層（１２）との２層構造であることを特徴とする請求項１〜４のいずれかに記載の表示装置である。
【００１２】
請求項６に記載の発明は、図１〜図１５に示すように、前記表示素子（２、２１〜２３）の前記表示層（７）が、微細なカプセル（９）を前記表面電極層（５）と前記背面電極層（６）との間に平面的に敷き詰めた構成で、前記表示素子は、前記表面電極層と前記背面電極層とに電圧が印加されると、前記微細なカプセル内の微粒子が電気的に移動して情報を表示することを特徴とする請求項１〜５のいずれかに記載の表示装置である。
【００１３】
請求項７に記載の発明は、図１６〜図２０に示すように、前記表示素子（３１、４１〜４３）の前記表示層が、エレクトロルミネッセンス発光層（３２）であり、前記表示素子は、前記表面電極層（５）と前記背面電極層（６）とに電圧が選択的に印加されると、前記エレクトロルミネッセンス発光層が選択的に発光して情報を表示することを特徴とする請求項１〜５のいずれかに記載の表示装置である。
【発明の効果】
【００１４】
請求項１に記載の発明によれば、透明な表面電極層と背面電極層との間に表示層を設けた表示素子と、透明な表面電極層の表面に設けられた透明な表面保護膜と、背面電極層の背面に設けられた背面保護膜とを備えた表示装置において、背面保護膜の背面に折曲溝を表示素子が湾曲する方向に沿って等間隔で設けたので、装置全体を表面側に向けて凸となるように湾曲させる際、背面保護膜の背面に設けられた折曲溝によって、装置全体を容易に湾曲させることができると共に、背面保護膜が表面側に向けて凸となるように湾曲するときに、背面保護膜の背面に設けられた折曲溝によって背面保護膜の湾曲変形による延びを吸収することができる。
【００１５】
このため、背面保護膜が表面側に向けて凸となるように湾曲しても、この背面保護膜の湾曲に伴って表示素子および表面保護膜が湾曲する際、背面保護膜の湾曲に応じて表示素子および表面保護膜が湾曲方向に延びるのを軽減することができる。これにより、表示素子の表面電極層と背面電極層との間に設けられた表示層も、背面保護膜の湾曲に応じた延びが軽減されるので、表面側に向けて凸となるように装置全体を良好に湾曲させることができると共に、装置全体を表面側に向けて凸となるように湾曲させても、表示素子によって良好に情報を表示することができる。
【００１６】
請求項２に記載の発明によれば、透明な表面電極層と背面電極層との間に表示層を設けた複数の表示素子と、この複数の表示素子を所定間隔離して配列させた状態で複数の表示素子の各表面に連続して設けられた透明な表面保護膜と、複数の表示素子の各背面に連続して設けられた背面保護膜とを備え、複数の表示素子の間に位置する表面保護膜の表面と背面保護膜の背面とのうち、少なくとも背面保護膜の背面に、折曲溝を表示素子の配列方向に沿って等間隔で設けたので、装置全体を表示素子の配列方向に沿って湾曲させる際、複数の表示素子の間に位置する表面保護膜と背面保護膜との箇所で容易に折り曲げて、装置全体を大きく湾曲させることができる。
【００１７】
すなわち、複数の表示素子の間に位置する表面保護膜の表面と背面保護膜の背面とのうち、少なくとも背面保護膜の背面には、折曲溝が表示素子の配列方向に沿って等間隔で設けられているので、この折曲溝によって複数の表示素子の間に位置する表面保護膜と背面保護膜とを容易に且つ良好に折り曲げて、装置全体を表面側に向けて凸となるように大きく湾曲させることができると共に、装置全体を表面側に向けて凸となるように大きく湾曲させても、複数の表示素子が湾曲による影響をほとんど受けることがないので、複数の表示素子によって良好に情報を表示することができる。
【００１８】
請求項３に記載の発明によれば、複数の表示素子に対応する箇所の背面保護膜の背面に、折曲溝が複数の表示素子の配列方向に沿って等間隔で設けられていることにより、請求項２に記載の発明と同様の作用効果があるほか、装置全体を複数の表示素子に対応する箇所においても、表面側に向けて凸となるように良好に湾曲させることができると共に、複数の表示素子に対応する箇所で表面側に向けて凸となるように湾曲させても、背面保護膜の背面に設けられた折曲溝によって、請求項１に記載の発明と同様、背面保護膜の湾曲変形による延びを吸収することができるので、背面保護膜の湾曲に応じて複数の表示素子および表面保護膜が湾曲方向に延びるのを軽減することができ、これにより、より一層、表面側に向けて凸となるように装置全体を良好に湾曲させることができると共に、装置全体を表面側に向けて凸となるように湾曲させても、複数の表示素子によって良好に情報を表示することができる。
【００１９】
請求項４に記載の発明によれば、背面保護膜が、表示素子の背面電極層に積層される防湿性および光反射機能を有する合成樹脂製の第１背面フィルム層と、この第１背面フィルム層に積層される防湿性の高い合成樹脂製の第２背面フィルム層との２層構造で、第２背面フィルム層に折曲溝が設けられていることにより、表面側に向けて凸となるように装置全体を良好に湾曲させることができると共に、装置全体を表面側に向けて凸となるように湾曲させても、表示素子で良好に情報を表示することができるほか、表示素子の表示層が湿気に弱くても、第１、第２背面フィルム層によって表示層を湿気から確実に保護することができると共に、背面電極層が透明な合成樹脂製であっても、第１背面フィルム層によって表面電極層から入射した光を反射することができるので、背面側への漏れ光を防いで表示を明るくすることができる。
【００２０】
請求項５に記載の発明によれば、表面保護膜が、防湿性の高い合成樹脂製の第１表面フィルム層と、紫外線吸収機能を備えた合成樹脂製の第２表面フィルム層との２層構造であることにより、表示層が湿気に弱くても、第１表面フィルム層によって表示層に対する防湿性を確保することができ、また表示層が紫外線に弱くても、第２表面フィルム層によって表示層を紫外線から保護することができ、これにより表示層が湿気や紫外線によって劣化するのを防ぐことができるので、耐久性の高いものを得ることができる。
【００２１】
請求項６に記載の発明によれば、表示素子の表示層が、微細なカプセルを表面電極層と背面電極層との間に平面的に敷き詰めた構成で、表示素子の表面電極層と背面電極層とに電圧が印加されると、微細なカプセル内の微粒子が電気的に移動して情報を表示する構成であっても、表面側に向けて凸となるように装置全体を良好に湾曲させることができると共に、装置全体を表面側に向けて凸となるように湾曲させても、表示素子によって良好に情報を表示することができるほか、表示層の微細なカプセルが湿気や紫外線に弱くても、背面保護膜および表面保護膜によって表示層の微細なカプセルを確実に保護することができるので、湿気や紫外線の影響を受けずに良好に情報を表示することができる。
【００２２】
請求項７に記載の発明によれば、表示素子の表示層がエレクトロルミネッセンス発光層で、表示素子の表面電極層と背面電極層とに電圧が選択的に印加されると、エレクトロルミネッセンス発光層が選択的に発光して情報を表示する構成であっても、表面側に向けて凸となるように装置全体を良好に湾曲させることができると共に、装置全体を表面側に向けて凸となるように湾曲させても、表示素子によって良好に情報を表示することができるほか、表示層であるエレクトロルミネッセンス発光層が湿気や紫外線に弱くても、背面保護膜および表面保護膜によってエレクトロルミネッセンス発光層を確実に保護することができるので、湿気や紫外線の影響を受けずに良好に情報を表示することができる。
【発明を実施するための最良の形態】
【００２３】
（実施形態１）
以下、図１〜図５を参照して、この発明を腕装着型の表示装置に適用した実施形態１について説明する。
図１はこの発明の表示装置を示した要部の斜視図、図２は図１のＡ−Ａ矢視における拡大断面図、図３は図１のＢ−Ｂ矢視における拡大断面図である。
この腕装着型の表示装置１は、図１〜図３に示すように、帯状の表示素子２と、この表示素子２の上面に設けられた表面保護膜３と、表示素子２の下面に設けられた背面保護膜４とを備え、全体が帯状に細長く形成されている。
【００２４】
表示素子２は、図２および図３に示すように、透明な表面電極層５と背面電極層６との間に表示層７を設けた構成になっている。すなわち、この表示素子２の表示層７は、粘着層８上にマイクロカプセル９をバインダ１０によって平面的に敷き詰めたものであり、このマイクロカプセル９内には、微粒子と、この微粒子を分散させる分散剤とが充填されている。微粒子は、分散剤中で電位差による電気泳動により移動する性質を有するものである。これにより、表示素子２は、表面電極層５と背面電極層６とに電圧が印加されると、マイクロカプセル９内の微粒子が分散剤中で電位差による電気泳動により移動し、この移動した微粒子によって情報を表示するように構成されている。
【００２５】
この場合、表示素子２の透明な表面電極層５は、図２および図３に示すように、透明な合成樹脂製のフィルム５ａの下面に、ＩＴＯ（酸化インジウム）などの透明な導電性材料からなる透明電極５ｂを形成したものである。この表面電極層５の透明なフィルム５ａの材料としては、例えば、ポリエチレンテレフタレート（ＰＥＴ）、ポリエーテルスルホン（ＰＥＳ）、ポリカーボネイト（ＰＣ）などを用いることが好ましい。
【００２６】
また、背面電極層６は、図２および図３に示すように、合成樹脂製のフィルム６ａの上面に銅やカーボンなどの導電性の高い材料からなる画素電極６ｂを形成したものである。この背面電極層６のフィルム６ａの材料としては、表面電極層５のフィルム５ａと同じ材料であっても良いが、必ずしも透明である必要がないので、ポリエチレンナフタレート（ＰＥＮ）などのポリエステル、ポリエチレン（ＰＥ）、ポリスチレン（ＰＳ）、ポリプロピレン（ＰＰ）、ポリエーテルエーテルケトン（ＰＥＥＫ）、アクリル、あるいはポリアクリレート類などを用いても良い。
【００２７】
また、表示層７のマイクロカプセル９は、微粒子および分散剤を収容するものであり、このマイクロカプセル９の隔膜を形成する材料としては、アラビアゴム・ゼラチンの複合膜、ウレタン樹脂、ウレア樹脂、尿素樹脂などの化合物が用いられている。微粒子は、分散剤中で電位差による電気泳動により移動する性質を有するものであり、この微粒子としては、黒色顔料、白色顔料、黄色顔料、赤色顔料、青色顔料、緑色顔料などの１種類または２種類以上が用いられている。
【００２８】
この場合、黒色顔料としては、アニリンブラック、カーボンブラック、チタンブラックなどであり、白色顔料としては、二酸化チタン、亜鉛華、三酸化アンチモンなどであり、黄色顔料としては、モノアゾ、ジスアゾ、ポリアゾなどのアゾ系顔料、イソインドリノン、黄鉛、黄色酸化鉄、カドミウムイエロ、チタンイエロ、アンチモンなどであり、赤色顔料としては、モノアゾ、ジスアゾ、ポリアゾなどのアゾ系顔料、キナクリドンレッド、クロムバーミリオンなどであり、青色顔料としては、フタロシアニンブルー、インダスレンブルー、アントラキノン系染料、紺青、群青、コバルトブルーなどであり、緑色顔料としては、フタロシアニングリーンなどである。
【００２９】
また、微粒子を分散させる分散剤としては、水、メタノール、エタノール、イソプロパノール、ブタノール、オクタノール、メチルセルソルブなどのアルコール系溶媒、酢酸エチル、酢酸ブチルなどの各種エステル類、アセトン、メチルエチルケトン、メチルイソブチルケトンなどのケトン類、ペンタン、ヘキサン、オクタンなどの脂肪族炭化水素、シクロへキサン、メチルシクロへキサンなどの脂環式炭化水素、ベンゼン、トルエン、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼンなどの長鎖アルキル基を有するベンゼン類などの芳香族炭化水素、塩化メチレン、クロロホルム、四塩化炭素、１，２−ジクロロエタンなどのハロゲン化炭化水素、カルボン酸塩またはその他の種々の油類などの単独、またはこれらの混合物に界面活性剤などを配合したものを用いることが好ましい。
【００３０】
また、マイクロカプセル９を固定するバインダ１０としては、マイクロカプセル９の隔膜と親和性が良好で、基材との密着性に優れ、且つ絶縁性を有するものが好ましい。例えば、ポリエチレン、塩素化ポリエチレン、エチレン−酢酸ビニル共重合体、エチレン−アクリル酸エチル共重合体、ポリプロピレン、ＡＢＳ樹脂、メタクリル酸メチル樹脂、塩化ビニル樹脂、塩化ビニル−酢酸ビニル共重合体、塩化ビニル−塩化ビニリデン共重合体、塩化ビニルアクリル酸エステル共重合体、塩化ビニル−メタクリル酸共重合体、塩化ビニル−アクリロニトリル共重合体、エチレン−ビニルアルコール−塩化ビニル共重合体、プロピレン−塩化ビニル共重合体、塩化ビニリデン樹脂、酢酸ビニル樹脂、ポリビニルアルコール、ポリビニルホルマール、セルロース系樹脂などの熱可塑性樹脂が好ましいが、以下のような各種の材料を用いても良い。
【００３１】
すなわち、バインダ１０の材料としては、上記のほかに、ポリアミド系樹脂、ポリアセタール、ポリカーボネイト、ポリエチレンテレフタレート、ポリブチレンテレフタレート、ポリフェニレンオキサイド、ポリスルホン、ポリアミドイミド、ポリアミノビスマレイミド、ポリエーテルスルホン、ポリフェニレンスルホン、ポリアリレート、グラフト化ポリフェニレンエーテル、ポリエーテルエテルケント、ポリエーテルイミドなどの高分子、またはポリ四フッ化エチレン、ポリフッ化エチレンプロピレン、四フッ化エチレン−パーフロロアルコキシエチレン共重合体、エチレン−四フッ化エチレン共重合体、ポリフッ化ビニリデン、ポリ三フッ化塩化エチレン、フッ素ゴムなどのフッ素系樹脂、あるいはシリコーン樹脂、シリコーンゴムなどの珪素樹脂を用いても良い。
【００３２】
表示層７の粘着層８は、図２および図３に示すように、その上面にマイクロカプセル９を平面的に配列するためのものであり、バインダ１０と同様、マイクロカプセル９の隔膜と親和性が良好で、絶縁性を有するものが好ましい。このため、この粘着層８の材料としては、例えば、ウレタン樹脂が好ましいが、これに限らず、バインダ１０と同様、各種の熱可塑性樹脂、各種の高分子、各種のフッ素系樹脂、各種の珪素樹脂などを用いても良い。
【００３３】
ところで、表示素子２の上面に設けられた表面保護膜３は、図２および図３に示すように、防湿性の高い合成樹脂製の第１表面フィルム層１１と、紫外線吸収機能を備えた合成樹脂製の第２表面フィルム層１２との２層構造になっている。第１表面フィルム層１１は、透明な合成樹脂製のフィルムであり、表示素子２の表面電極層５上に接着剤１３によって接着されている。この第１表面フィルム層１１の材料としては、表示素子２の表面電極層５の透明なフィルム５ａと同様、ポリエチレンテレフタレート（ＰＥＴ）、ポリエーテルスルホン（ＰＥＳ）、ポリカーボネイト（ＰＣ）などが好ましい。
【００３４】
また、第２表面フィルム層１２は、紫外線吸収機能を備えた透明な合成樹脂製のフィルムであり、例えば、透明な合成樹脂製のフィルム中に紫外線吸収剤を含有させたもの、または透明な合成樹脂製のフィルムの上面または下面に紫外線吸収膜を設けたものである。この第２表面フィルム層１２は、第１表面フィルム層１１の上面に接着剤１３によって接着されており、この第２表面フィルム層１２の透明な合成樹脂製のフィルムの材料としては、第１表面フィルム層１１と同様、ポリエチレンテレフタレート（ＰＥＴ）、ポリエーテルスルホン（ＰＥＳ）、ポリカーボネイト（ＰＣ）などが好ましい。
【００３５】
一方、表示素子２の下面に設けられた背面保護膜４は、図２および図３に示すように、防湿性の高い合成樹脂製の第１、第２背面フィルム層１４、１５の２層構造になっている。第１背面フィルム層１４は、防湿性が高く、且つ光を反射する性質を有するアルミ箔が好ましいが、フィルムの表面にアルミなどの金属層を設けたものでも良い。すなわち、この第１背面フィルム層１４は、背面電極層６が透明な樹脂で形成されている場合、表示素子２に上面側から入射した光を反射し、表示層７に表示された情報を明るく照明するためのものであり、表示素子２の背面電極層６の下面に接着剤１６によって接着されている。
【００３６】
また、第２背面フィルム層１５は、防湿性の高い合成樹脂からなり、その材料としては、表面保護膜３の第１表面フィルム１１と同じ材料であっても良いが、必ずしも透明である必要がないので、ポリエチレンナフタレート（ＰＥＮ）などのポリエステル、ポリエチレン（ＰＥ）、ポリスチレン（ＰＳ）、ポリプロピレン（ＰＰ）、ポリエーテルエーテルケトン（ＰＥＥＫ）、アクリル、あるいはポリアクリレート類などを用いても良い。
【００３７】
このような表示装置１は、図２に示すように、表面保護膜３が表示素子２の端面から側方に延出されていると共に、表示素子２の背面電極層６および背面保護膜４が表示素子２の端面から側方に延出され、この延出された表面保護膜３の端部３ａと背面電極層６および背面保護膜４の各端部６ａ、４ａとが重なり合った状態で接合され、これにより表示素子２の表示層７の周囲を封止するように構成されている。この場合、表面保護膜３の厚みは約１８８．５μｍで、表示素子２の厚みは約１００μｍである。すなわち、表示素子２の表示層７の厚みは約６０μｍで、この表示層７のマイクロカプセル９の層厚は約４０μｍである。
【００３８】
また、この表示装置１は、図３および図５に示すように、背面保護膜４の第２背面フィルム層１５の下面に、多数の折曲溝１７が表示装置１の長手方向に沿って等間隔で互いに平行に設けられ、これにより装置全体が上面側に向けて凸となるように湾曲する構成になっている。この場合、折曲溝１７は、図３に示すように、断面が矩形状の溝であり、表示装置１の長手方向と直交する幅方向に連続して形成されている。また、隣接する折曲溝１７の間隔Ｓ１は、図３に示すように、折曲溝１７の溝幅Ｓ２とほぼ同じ大きさに形成されていることが望ましいが、背面保護膜４の湾曲性を高めるために、折曲溝１７の溝幅Ｓ２よりも小さくても良い。
【００３９】
このような表示装置１によれば、透明な表面電極層５と背面電極層６との間に表示層７を設けた帯状の表示素子２と、透明な表面電極層５の上面に設けられた透明な表面保護膜３と、背面電極層６の下面に設けられた背面保護膜４とを備え、背面保護膜４の第２背面フィルム層１５の下面に多数の折曲溝１７を表示素子２の長手方向に沿って等間隔で互いに平行に設けたので、図４に示すように、装置全体を上面側に向けて凸となるように湾曲させて腕に装着する際、背面保護膜４の第２背面フィルム層１５の下面に向けられた多数の折曲溝１７によって、装置全体を腕の曲率に合わせて容易に且つ良好に湾曲させることができる。
【００４０】
すなわち、この表示装置１は、背面保護膜４が上面側に向けて凸となるように湾曲するときに、図５に示すように、背面保護膜４の第２背面フィルム層１５の下面に設けられた多数の折曲溝１７によって背面保護膜４の湾曲変形による延びを吸収することができる。このため、図４に示すように、背面保護膜４が上面側に向けて凸となるように湾曲しても、この背面保護膜４の湾曲に伴って表示素子２および表面保護膜３が湾曲する際に、図５に示すように、背面保護膜４の湾曲変形による延びが多数の折曲溝１７によって吸収されるので、背面保護膜４の湾曲に応じて表示素子２および表面保護膜３が湾曲方向に延びるのを軽減することができる。これにより、上面側に向けて凸となるように装置全体を腕の曲率に合わせて容易に且つ良好に湾曲させることができると共に、装置全体を腕の曲率に合わせて湾曲させても、表示素子２によって良好に情報を表示させることができる。
【００４１】
この場合、この表示装置１は、表示素子２における透明な表面電極層５と背面電極層６との間に設けられた表示層７が、マイクロカプセル９を表面電極層５と背面電極層６との間に平面的に敷き詰めた構成で、表示素子２の表面電極層５と背面電極層６とに電圧が印加されると、マイクロカプセル９内の微粒子が電気的に移動して情報を表示する構成であることにより、装置全体を上面側に向けて凸となるように湾曲させても、表示素子２によって良好に情報を表示することができるほか、マイクロカプセル９が湿気に弱くても、表面保護膜３および背面保護膜４によってマイクロカプセル９を湿気から確実に保護することができる。
【００４２】
すなわち、この表示装置１では、背面保護膜４が、表示素子２の背面電極層６に積層される防湿性および光反射機能を有する合成樹脂製の第１背面フィルム層１４と、この第１背面フィルム層１４に積層される防湿性の高い合成樹脂製の第２背面フィルム層１５との２層構造で、第２背面フィルム層１５に多数の折曲溝１７が設けられていることにより、上面側に向けて凸となるように装置全体を腕の曲率に合わせて良好に湾曲させることができると共に、装置全体を腕の曲率に合わせて湾曲させても、表示素子２で良好に情報を表示することができる。
【００４３】
この場合、表示素子２の表示層７のマイクロカプセル９が湿気に弱くても、第１、第２背面フィルム層１４、１５によってマクロカプセル９を湿気から確実に保護することができると共に、背面電極層６が透明な合成樹脂製であっても、第１背面フィルム層１４によって表示素子２に入射した光を反射することができるので、第１背面フィルム層１４の下面側への漏れ光を防いで、表示を明るくすることができる。
【００４４】
また、この表示装置１では、表面保護膜３が、防湿性の高い合成樹脂製の第１表面フィルム層１１と、紫外線吸収機能を備えた合成樹脂製の第２表面フィルム層１２との２層構造であることにより、表示素子２のマイクロカプセル９が湿気に弱くても、第１表面フィルム層１１によってマイクロカプセル９に対する防湿性を確保することができ、またマイクロカプセル９が紫外線に弱くても、第２表面フィルム層１２によってマイクロカプセル９を紫外線から保護することができる。これにより、マイクロカプセル９が湿気や紫外線によって劣化するのを防ぐことができるので、耐久性の高いものを得ることができる。
【００４５】
なお、上記実施形態１では、背面保護膜４の第２背面フィルム層１５に断面が矩形状の折曲溝１７を設けた場合について述べたが、これに限らず、例えば、図６（ａ）に示すように、断面が三角形状の折曲溝１８ａを表示素子２の長手方向に沿って等間隔で互いに平行に設けても良く、また図６（ｂ）に示すように、断面が台形状の折曲溝１８ｂを表示素子２の長手方向に沿って等間隔で互いに平行に設けても良く、また図６（ｃ）に示すように、断面が半円形状の折曲溝１８ｃを表示素子２の長手方向に沿って等間隔で互いに平行に設けても良く、さらにこれらの各断面形状の折曲溝１８ａ〜１８ｃを組み合わせて設けても良い。
【００４６】
また、上記実施形態１では、表示素子２の長手方向に対して直交する幅方向の長さが、一般的な腕時計の表示部の幅とほぼ同じ大きさに形成した場合について述べたが、これに限らず、例えば図７（ａ）に示すように、表示素子２の幅方向の長さを一般的な腕時計の表示部の幅よりも十分に長く形成した幅広のものでも良く、また図７（ｂ）に示すように、表示素子２の幅方向の長さを一般的な腕時計の表示部の幅よりも短く形成した幅狭で、その長手方向に沿って情報を表示する構成のものでも良い。
【００４７】
（実施形態２）
次に、図８〜図１２を参照して、この発明を腕装着型の表示装置に適用した実施形態２について説明する。なお、図１〜図５に示された実施形態１と同一部分には同一符号を付して説明する。
この表示装置２０は、図８および図９に示すように、所定間隔離れた状態で配列された複数の表示素子２１〜２３と、この複数の表示素子２１〜２３の各上面に連続して設けられた表面保護膜３と、複数の表示素子２１〜２３の各下面に連続して設けられた背面保護膜４とを備え、全体が帯状に細長く形成されている。
【００４８】
この場合、複数の表示素子２１〜２３は、実施形態１と同様、それぞれ透明な表面電極層５と背面電極層６との間に表示層７を設けた構成になっている。すなわち、この表示素子２１〜２３の各表示層７は、実施形態１と同様、粘着層８上にマイクロカプセル９をバインダ１０によって平面的に敷き詰めたものであり、マイクロカプセル９内には、微粒子と、この微粒子を分散させる分散剤とが充填されている。これにより、複数の表示素子２１〜２３は、実施形態１と同様、それぞれ表面電極層５と背面電極層６とに電圧が印加されると、マイクロカプセル９内の微粒子が分散剤中で電位差による電気泳動により移動し、この移動した微粒子によって情報を表示するように構成されている。
【００４９】
また、複数の表示素子２１〜２３の各透明な表面電極層５は、実施形態１と同様、透明な合成樹脂製のフィルム５ａの下面に、ＩＴＯ（酸化インジウム）などの透明な導電性材料からなる透明電極５ｂを形成したものであり、この透明なフィルム５ａの材料は、実施形態１と同じものを用いている。また、背面電極層６も、実施形態１と同様、合成樹脂製のフィルム６ａの上面に銅やカーボンなどの導電性の高い材料からなる画素電極６ｂを形成したものである。この背面電極層６のフィルム６ａの材料も、実施形態１と同じものを用いている。
【００５０】
ところで、この表示素子２１〜２３の各上面に連続して設けられた表面保護膜３は、実施形態１と同様、防湿性の高い合成樹脂製の第１表面フィルム層１１と、紫外線吸収機能を備えた合成樹脂製の第２表面フィルム層１２との２層構造になっている。第１表面フィルム層１１は、透明な合成樹脂製のフィルムであり、表示素子２１〜２３の各表面電極層５上に接着剤１３によって接着されている。この第１表面フィルム層１１の材料も、実施形態１と同じものを用いている。
【００５１】
また、第２表面フィルム層１２も、実施形態１と同様、紫外線吸収機能を備えた透明な合成樹脂製のフィルムであり、例えば、透明な合成樹脂製のフィルム中に紫外線吸収剤を含有させたもの、または透明な合成樹脂製のフィルムの上面または下面に紫外線吸収膜を設けたものである。この第２表面フィルム層１２は、第１表面フィルム層１１の上面に接着剤１３によって接着されており、第２表面フィルム層１２の透明な合成樹脂製のフィルムの材料も、実施形態１と同じものを用いている。
【００５２】
一方、表示素子２１〜２３の各下面に連続して設けられた背面保護膜４も、実施形態１と同様、防湿性の高い合成樹脂製の第１、第２背面フィルム層１４、１５の２層構造になっている。第１背面フィルム層１４は、防湿性が高く、且つ光を反射する性質を有するアルミ箔が好ましいが、フィルムの表面にアルミなどの金属層を設けたものでも良い。すなわち、この第１背面フィルム層１４は、背面電極層６が透明な樹脂で形成されている場合、表示素子２１〜２３に入射した光を反射することにより、表示された情報を明るく照明するためのものであり、表示素子２１〜２３の各背面電極層６の下面に接着剤１６によって接着されている。また、第２背面フィルム層１５は、防湿性の高い合成樹脂からなり、その材料は、実施形態１と同じものを用いている。
【００５３】
このような表示装置２０は、図９に示すように、複数の表示素子２１〜２３の間に位置する表面保護膜３と背面保護膜４とが対面した状態で接合され、この接合された箇所における表面保護膜３の上面と背面保護膜４の下面とに、それぞれ多数の折曲溝２４、２５が表示素子２１〜２３の配列方向に沿って等間隔で互いに平行に設けられ、これにより複数の表示素子２１〜２３の間に位置する箇所が折れ曲がって装置全体が湾曲するように構成されている。
【００５４】
この場合、折曲溝２４、２５は、実施形態１と同様、断面が矩形状の溝であり、表示装置２０の長手方向と直交する幅方向に連続して形成されている。また、隣接する折曲溝２４、２５同士の間隔Ｓ１も、実施形態１と同様、各折曲溝２４、２５の溝幅Ｓ２とほぼ同じ大きさに形成されていることが望ましいが、表面保護膜３と背面保護膜４との湾曲性を高めるために、各折曲溝２４、２５の溝幅Ｓ２よりも小さくても良い。
【００５５】
このように、この表示装置２０によれば、透明な表面電極層５と背面電極層６との間に表示層７を設けた複数の表示素子２１〜２３と、この複数の表示素子２１〜２３を所定間隔離して配列した状態で各表示素子２１〜２３の上面に連続して設けられた透明な表面保護膜３と、各表示素子２１〜２３の下面に連続して設けられた背面保護膜４とを備え、複数の表示素子２１〜２３の間に位置する表面保護膜３の上面と背面保護膜４の下面とに、それぞれ多数の折曲溝２４、２５を各表示素子２１〜２３の配列方向に沿って等間隔で互いに平行に設けているので、図１０〜図１２に示すように、装置全体を表示素子２１〜２３の配列方向に沿って湾曲させて腕に装着する際、複数の表示素子２１〜２３の間に位置する表面保護膜３と背面保護膜４との箇所で容易に折り曲げて、装置全体を大きく湾曲させることができる。
【００５６】
すなわち、複数の表示素子２１〜２３の間に位置する表面保護膜３の上面と背面保護膜４の下面とには、図８および図９に示すように、多数の折曲溝２４、２５が各表示素子２１〜２３の配列方向に沿って等間隔で互いに平行に設けられているので、図１１に示すように、多数の折曲溝２４、２５によって複数の表示素子２１〜２３の間に位置する表面保護膜３と背面保護膜４とを容易に折り曲げて、装置全体を上面側に向けて凸となるように腕の曲率に合わせて大きく湾曲させることができると共に、装置全体を腕の曲率に合わせて大きく湾曲させても、複数の表示素子２１〜２３が湾曲による影響をほとんど受けることがないので、複数の表示素子２１〜２３によって良好に情報を表示することができる。
【００５７】
この場合にも、表示装置２０は、複数の表示素子２１〜２３の透明な表面電極層５と背面電極層６との間に設けられた各表示層７が、マイクロカプセル９を表面電極層５と背面電極層６との間に平面的に敷き詰めた構成で、各表示素子２１〜２３の表面電極層５と背面電極層６とに電圧が印加されると、マイクロカプセル９内の微粒子が電気的に移動して情報を表示する構成であることにより、上面側に向けて凸となるように装置全体を腕の曲率に合わせて大きく湾曲させても、複数の表示素子２１〜２３が湾曲による影響をほとんど受けることがないので、表示素子２１〜２３によって良好に情報を表示することができるほか、マイクロカプセル９が湿気に弱くても、表面保護膜３および背面保護膜４によってマイクロカプセル９を湿気から確実に保護することができる。
【００５８】
すなわち、この表示装置２０では、背面保護膜４が、複数の表示素子２１〜２３の背面電極層６に連続して積層される防湿性および光反射機能を有する合成樹脂製の第１背面フィルム層１４と、この第１背面フィルム層１４に積層される防湿性の高い合成樹脂製の第２背面フィルム層１５との２層構造であるから、表示素子２１〜２３の各表示層７のマイクロカプセル９が湿気に弱くても、第１、第２背面フィルム層１４、１５によってマクロカプセル９を湿気から確実に保護することができると共に、背面電極層６が透明な合成樹脂製であっても、第１背面フィルム層１４によって各表示素子２１〜２３に入射した光を反射することができるので、第１背面フィルム層１４の下面側への漏れ光を防いで、表示を明るくすることができる。
【００５９】
また、この表示装置２０では、表面保護膜３が、防湿性の高い合成樹脂製の第１表面フィルム層１１と、紫外線吸収機能を備えた合成樹脂製の第２表面フィルム層１２との２層構造であるから、表示層７のマイクロカプセル９が湿気に弱くても、第１表面フィルム層１１によってマイクロカプセル９に対する防湿性を確保することができ、またマイクロカプセル９が紫外線に弱くても、第２表面フィルム層１２によって表示層のマイクロカプセル９を紫外線から保護することができる。これにより、表示層７のマイクロカプセル９が湿気や紫外線によって劣化するのを防ぐことができるので、耐久性の高いものを得ることができる。
【００６０】
なお、上記実施形態２では、複数の表示素子２１〜２３の間に位置する表面保護膜３の上面と背面保護膜４の下面との両方に、それぞれ折曲溝２４、２５を設けた場合について述べたが、必ずしも表面保護膜３と背面保護膜４との両方に折曲溝２４、２５を設ける必要はなく、少なくとも背面保護膜４の下面のみに、多数の折曲溝２５を設けただけの構成でも良い。
【００６１】
（実施形態３）
次に、図１３〜図１５を参照して、この発明を腕装着型の表示装置に適用した実施形態３について説明する。この場合には、図８〜図１２に示された実施形態２と同一部分に同一符号を付して説明する。
この表示装置２７は、図１３に示すように、複数の表示素子２１〜２３の各下面に連続して設けられた背面保護膜４の全域に多数の折曲溝２８を設けた構成であり、これ以外は実施形態２と同様に構成されている。
【００６２】
すなわち、背面保護膜４は、実施形態２と同様、防湿性の高い合成樹脂製の第１、第２背面フィルム層１４、１５の２層構造になっており、この第２背面フィルム層１５の下面全域には、図１３に示すように、多数の折曲溝２８が複数の表示素子の配列方向に沿って等間隔で互いに平行に設けた構成になっている。この折曲溝２８は、実施形態１と同様、断面が矩形状の溝であり、表示装置２７の長手方向と直交する幅方向に連続して形成されている。また、隣接する折曲溝２８の間隔Ｓ１も、実施形態１と同様、各折曲溝２８の溝幅Ｓ２とほぼ同じ大きさに形成されていることが望ましいが、背面保護膜４の湾曲性を高めるために、各折曲溝２８の溝幅Ｓ２よりも小さくても良い。
【００６３】
また、この場合にも、複数の表示素子２１〜２３の各上面に連続して設けられた表面保護膜３には、実施形態２と同様、多数の折曲溝２４が設けられている。すなわち、この折曲溝２４は、図１３に示すように、表面保護膜３の第２表面フィルム層１２の上面における複数の表示素子２１〜２３の間に位置する箇所に、複数の表示素子２１〜２３の配列方向に沿って等間隔で互いに平行に設けられている。
【００６４】
このような表示装置２７によれば、実施形態２の表示装置２０と同様、複数の表示素子２１〜２３の間に位置する表面保護膜３と背面保護膜４とを容易に折り曲げて、上面側に向けて凸となるように装置全体を腕の曲率に合わせて湾曲させることができるほか、複数の表示素子２１〜２３に対応する箇所における背面保護膜４の第２背面フィルム層１５の下面にも、多数の折曲溝２８が複数の表示素子２１〜２３の配列方向に沿って等間隔で平行に設けられているので、複数の表示素子２１〜２３に対応する箇所においても、装置全体を上面側に向けて凸となるように緩やかに湾曲させることができる。
【００６５】
このときには、背面保護膜４の第２背面フィルム層１５の下面に設けられた多数の折曲溝２８によって、実施形態１と同様、背面保護膜４の湾曲変形による延びを吸収することができるので、背面保護膜４の湾曲に応じて複数の表示素子２１〜２３および表面保護膜３が湾曲方向に延びるのを軽減することができる。このため、実施形態２よりも、装置全体を腕の曲率に合わせて良好に湾曲させることができるので、腕に対する密着性をより一層高めることができるほか、装置全体を上面側に向けて凸となるように湾曲させても、複数の表示素子２１〜２３によって良好に情報を表示することができる。
【００６６】
なお、上記実施形態２、３では、３つの表示素子２１〜２３を配列した場合について述べたが、これに限らず、２つの表示素子を所定間隔離して配置し、その両者の間に位置する箇所の表面保護膜３の上面と背面保護膜４の下面とにそれぞれ多数の折曲溝２４、２５を設けた構成でも良く、また４つの表示素子を所定間隔離して配列し、その各表示素子の間に位置する箇所の表面保護膜３の上面と背面保護膜４の下面とにそれぞれ多数の折曲溝２４、２５を設けた構成でも良い。
【００６７】
また、上記実施形態２、３においても、表面保護膜３の第２表面フィルム層１２と背面保護膜４の第２背面フィルム層１５とに断面が矩形状の折曲溝２４、２５を設けた場合について述べたが、これに限らず、図６（ａ）〜図６（ｃ）に示した実施形態１の変形例と同様、断面が三角形状や台形状、半円形状の折曲溝１８ａ〜１８ｃを表示素子２１〜２３の配列方向に沿って等間隔で互いに平行に設けても良く、またこれらの各断面形状の折曲溝１８ａ〜１８ｃを組み合わせて設けても良い。
【００６８】
さらに、上記実施形態２、３においても、表示素子２１〜２３の配列方向に対して直交する幅方向の長さが、一般的な腕時計の表示部の幅とほぼ同じ大きさに形成した場合について述べたが、これに限らず、図７（ａ）に示した実施形態１の変形例と同様、各表示素子２１〜２３の幅方向の長さを一般的な腕時計の表示部の幅よりも十分に長く形成した幅広のものでも良く、また図７（ｂ）に示した実施形態１の変形例と同様、各表示素子２１〜２３の幅方向の長さを一般的な腕時計の表示部の幅よりも短く形成した幅狭で、その長手方向に沿って情報を表示する構成のものでも良い。
【００６９】
（実施形態４）
次に、図１６〜図１８を参照して、この発明を腕装着型の表示装置に適用した実施形態４について説明する。この場合には、図１〜図５に示された実施形態１と同一部分に同一符号を付して説明する。
この表示装置３０は、表示素子３１の表示層としてＥＬ（エレクトロルミネセンス）発光層３２を用いた構成であり、これ以外は実施形態１とほぼ同様に構成されている。
【００７０】
すなわち、この表示素子３１は、図１７に示すように、透明な表面電極層５と背面電極層６との間に表示層としてＥＬ発光層３２を設け、表面電極層５と背面電極層６とに電圧が選択的に印加されると、ＥＬ発光層３２が選択的に発光して情報を表示するように構成されている。すなわち、表示素子３１のＥＬ発光層３２は、有機ＥＬまたは無機ＥＬからなり、電圧が印加されると、蛍光を発するものである。
【００７１】
また、この表示素子３１の透明な表面電極層５は、実施形態１と同様、透明な合成樹脂製のフィルム５ａの下面に、ＩＴＯ（酸化インジウム）などの透明な導電性材料からなる透明電極５ｂを形成したものである。この表面電極層５の透明なフィルム５ａの材料は、実施形態１と同じものを用いている。また、背面電極層６も、実施形態１と同様、合成樹脂製のフィルム６ａの上面に銅やカーボンなどの導電性の高い材料からなる画素電極６ｂを形成したものである。この背面電極層６のフィルム６ａの材料も、実施形態１と同じものを用いている。
【００７２】
ところで、この表示素子３１の上面に設けられた表面保護膜３は、実施形態１と同様、防湿性の高い合成樹脂製の第１表面フィルム層１１と、紫外線吸収機能を備えた合成樹脂製の第２表面フィルム層１２との２層構造になっている。第１表面フィルム層１１は、透明な合成樹脂製のフィルムであり、表示素子３１の表面電極層５上に接着剤１３によって接着されている。この第１表面フィルム層１１の材料も、実施形態１と同じものを用いている。
【００７３】
第２表面フィルム層１２も、紫外線吸収機能を備えた透明な合成樹脂製のフィルムであり、実施形態１と同様、透明な合成樹脂製のフィルム中に紫外線吸収剤を含有させたもの、または透明な合成樹脂製のフィルムの上面または下面に紫外線吸収膜を設けたものである。この第２表面フィルム層１２は、第１表面フィルム層１１の上面に接着剤１３によって接着されており、第２表面フィルム層１２の透明な合成樹脂製のフィルムの材料も、実施形態１と同じものを用いている。
【００７４】
一方、表示素子３１の下面に設けられた背面保護膜４も、実施形態１と同様、防湿性の高い合成樹脂製の第１、第２背面フィルム層１４、１５の２層構造になっている。第１背面フィルム層１４は、防湿性が高く、且つ光を反射する性質を有するアルミ箔が好ましいが、フィルムの表面にアルミなどの金属層を設けたものでも良い。すなわち、この第１背面フィルム層１４は、背面電極層６が透明な樹脂で形成されている場合、ＥＬ発光層３２で発光した光を反射し、表示された情報を明るく照明するためのものであり、表示素子３１の背面電極層６の下面に接着剤１６によって接着されている。また、第２背面フィルム層１５は、防湿性の高い合成樹脂からなり、その材料も、実施形態１と同じものを用いている。
【００７５】
このような表示装置３０は、図１７に示すように、表面保護膜３が表示素子３１の端面から側方に延出されていると共に、表示素子３１の背面電極層６および背面保護膜４が表示素子２の端面から側方に延出され、この延出された表面保護膜３の端部３ａと背面電極層６および背面保護膜４の各端部６ａ、４ａとが重なり合った状態で接合され、これにより表示素子３１の表示層であるＥＬ発光層３２の周囲を封止するように構成されている。この場合、表面保護膜３の厚みは約１８８．５μｍで、表示素子３１の厚みは約１００μｍである。
【００７６】
また、この表示装置３０は、図１８に示すように、背面保護膜４の第２背面フィルム層１５の下面に、多数の折曲溝３３が表示装置３０の長手方向に沿って等間隔で互いに平行に設けられ、これにより装置全体が上面側に向けて凸となるように湾曲する構成になっている。この場合、折曲溝３３は、図１８に示すように、断面が矩形状の溝であり、表示装置３０の長手方向と直交する幅方向に連続して形成されている。また、隣接する折曲溝３３の間隔Ｓ１は、実施形態１と同様、折曲溝３３の溝幅Ｓ２とほぼ同じ大きさに形成されていることが望ましいが、背面保護膜４の湾曲性を高めるために、折曲溝３３の溝幅Ｓ２よりも小さくても良い。
【００７７】
このような表示装置３０によれば、透明な表面電極層５と背面電極層６との間にＥＬ発光層３２を設けた帯状の表示素子３１と、透明な表面電極層５の上面に設けられた透明な表面保護膜３と、背面電極層６の下面に設けられた背面保護膜４とを備え、背面保護膜４の第２背面フィルム層１５に多数の折曲溝３３を表示素子３１の長手方向に沿って等間隔で互いに平行に設けたので、装置全体を上面側に向けて凸となるように湾曲させて腕に装着する際、背面保護膜４の第２背面フィルム層１５に設けられた多数の折曲溝３３によって、装置全体を腕の曲率に合わせて容易に湾曲させることができる。
【００７８】
すなわち、この表示装置３０は、腕の曲率に合わせて背面保護膜４が上面側に向けて凸となるように湾曲するときに、背面保護膜４の第２背面フィルム層１５の下面に設けられた多数の折曲溝３３によって背面保護膜４の湾曲変形による延びを吸収することができる。このため、実施形態１と同様、背面保護膜４が上面側に向けて凸となるように湾曲しても、この背面保護膜４の湾曲に伴って表示素子３１および表面保護膜３が湾曲する際に、背面保護膜４の湾曲変形による延びが多数の折曲溝３３によって吸収される。
【００７９】
これにより、背面保護膜４の湾曲に応じて表示素子３１および表面保護膜３が湾曲方向に延びるのを軽減することができるので、上面側に向けて凸となるように装置全体を腕の曲率に合わせて容易に且つ良好に湾曲させることができると共に、腕の曲率に合わせて装置全体を上面側に向けて凸となるように湾曲させても、表示素子３１によって良好に情報を表示させることができる。
【００８０】
この場合、この表示装置３０は、表示素子３１における透明な表面電極層５と背面電極層６との間に設けられた表示層がＥＬ発光層３２で、表示素子３１の表面電極層５と背面電極層６とに電圧が選択的に印加されると、ＥＬ発光層３２が選択的に発光して情報を表示する構成であることにより、腕の曲率に合わせて装置全体を上面側に向けて凸となるように湾曲させても、表示素子３１によって良好に情報を表示することができるほか、ＥＬ発光層３２が湿気に弱くても、表面保護膜３および背面保護膜４によってＥＬ発光層３２を湿気から確実に保護することができる。
【００８１】
すなわち、この表示装置３０では、背面保護膜４が、表示素子３１の背面電極層６に積層される防湿性および光反射機能を有する合成樹脂製の第１背面フィルム層１４と、この第１背面フィルム層１４に積層される防湿性の高い合成樹脂製の第２背面フィルム層１５との２層構造であるから、表示素子３１のＥＬ発光層３２が湿気に弱くても、第１、第２背面フィルム層１４、１５によってＥＬ発光層３２を湿気から確実に保護することができると共に、背面電極層６が透明な合成樹脂製であっても、第１背面フィルム層１４によって表示素子３１に入射した光を反射することができるので、第１背面フィルム層１４の下面側への漏れ光を防いで、表示を明るくすることができる。
【００８２】
また、この表示装置３０では、表面保護膜３が、防湿性の高い合成樹脂製の第１表面フィルム層１１と、紫外線吸収機能を備えた合成樹脂製の第２表面フィルム層１２との２層構造であることにより、ＥＬ発光層３２が湿気に弱くても、第１表面フィルム層１１によってＥＬ発光層３２に対する防湿性を確保することができ、またＥＬ発光層３２が紫外線に弱くても、第２表面フィルム層１２によってＥＬ発光層３２を紫外線から保護することができる。これにより、ＥＬ発光層３２が湿気や紫外線によって劣化するのを防ぐことができるので、耐久性の高いものを得ることができる。
【００８３】
なお、上記実施形態４においても、背面保護膜４の第２背面フィルム層１５に断面が矩形状の折曲溝３３を設けた場合について述べたが、これに限らず、図６（ａ）〜図６（ｃ）に示した実施形態１の変形例のように、断面が三角形状や台形状、半円形状などの折曲溝１８ａ〜１８ｃを表示素子３１の長手方向に沿って等間隔で互いに平行に設けても良く、またこれらの各断面形状の折曲溝１８ａ〜１８ｃを組み合わせて設けても良い。
【００８４】
また、上記実施形態４においても、表示素子３１の長手方向に対して直交する幅方向の長さが、一般的な腕時計の表示部の幅とほぼ同じ大きさに形成した場合について述べたが、これに限らず、例えば図７（ａ）に示した実施形態１の変形例のように、表示素子３１の幅方向の長さを一般的な腕時計の表示部の幅よりも十分に長く形成した幅広のものでも良く、また図７（ｂ）に示した実施形態１の変形例のように、表示素子３１の幅方向の長さを一般的な腕時計の表示部の幅よりも短く形成した幅狭で、その長手方向に沿って情報を表示する構成のものでも良い。
【００８５】
（実施形態５）
次に、図１９および図２０を参照して、この発明を腕装着型の表示装置に適用した実施形態５について説明する。この場合には、図１６〜図１８に示された実施形態４と同一部分に同一符号を付して説明する。
この表示装置４０は、図１９および図２０に示すように、所定間隔離れた状態で配列された複数の表示素子４１〜４３と、この複数の表示素子４１〜４３の各上面に連続して設けられた表面保護膜３と、複数の表示素子４１〜４３の各下面に連続して設けられた背面保護膜４とを備え、全体が帯状に細長く形成されている。
【００８６】
この場合、複数の表示素子４１〜４３は、実施形態４と同様、それぞれ透明な表面電極層５と背面電極層６との間にＥＬ発光層３２を設け、この状態でそれぞれ表面電極層５と背面電極層６とに電圧が選択的に印加されると、ＥＬ発光層３２が選択的に発光して情報を表示するように構成されている。すなわち、表示素子４１〜４３の各ＥＬ発光層３２は、有機ＥＬまたは無機ＥＬからなり、電圧が印加されると、蛍光を発するものである。
【００８７】
また、複数の表示素子４１〜４３の各透明な表面電極層５は、実施形態４と同様、透明な合成樹脂製のフィルム５ａの下面に、ＩＴＯ（酸化インジウム）などの透明な導電性材料からなる透明電極５ｂを形成したものである。この表面電極層５の透明なフィルム５ａの材料も、実施形態１と同じものを用いている。としては、実施形態４と同様、例えば、ポリエチレンテレフタレート（ＰＥＴ）、ポリエーテルスルホン（ＰＥＳ）、ポリカーボネイト（ＰＣ）などを用いることが好ましい。また、背面電極層６も、実施形態４と同様、合成樹脂製のフィルム６ａの上面に銅やカーボンなどの導電性の高い材料からなる画素電極６ｂを形成したものである。この背面電極層６のフィルム６ａの材料も、実施形態１と同じものを用いている。
【００８８】
ところで、この表示素子４１〜４３の各上面に連続して設けられた表面保護膜３は、実施形態４と同様、防湿性の高い合成樹脂製の第１表面フィルム層１１と、紫外線吸収機能を備えた合成樹脂製の第２表面フィルム層１２との２層構造になっている。第１表面フィルム層１１は、透明な合成樹脂製のフィルムであり、表示素子４１〜４３の各表面電極層５上に接着剤１３によって接着されている。この第１表面フィルム層１１の材料も、実施形態１と同じものを用いている。
【００８９】
また、第２表面フィルム層１２も、実施形態４と同様、紫外線吸収機能を備えた透明な合成樹脂製のフィルムであり、例えば、透明な合成樹脂製のフィルム中に紫外線吸収剤を含有させたもの、または透明な合成樹脂製のフィルムの上面または下面に紫外線吸収膜を設けたものである。この第２表面フィルム層１２は、第１表面フィルム層１１の上面に接着剤１３によって接着されており、第２表面フィルム層１２の透明な合成樹脂製のフィルムの材料も、実施形態１と同じものを用いている。
【００９０】
一方、表示素子４１〜４３の各下面に連続して設けられた背面保護膜４も、実施形態４と同様、防湿性の高い合成樹脂製の第１、第２背面フィルム層１４、１５の２層構造になっている。第１背面フィルム層１４は、防湿性が高く、且つ光を反射する性質を有するアルミ箔が好ましいが、フィルムの表面にアルミなどの金属層を設けたものでも良い。すなわち、この第１背面フィルム層１４は、背面電極層６が透明な樹脂で形成されている場合、表示素子４１〜４３に入射した光を反射することにより、表示された情報を明るく照明するためのものであり、表示素子４１〜４３の各背面電極層６の下面に接着剤１６によって接着されている。また、第２背面フィルム層１５は、防湿性の高い合成樹脂からなり、その材料も、実施形態１と同じものを用いている。
【００９１】
このような表示装置４０は、図２０に示すように、複数の表示素子４１〜４３の間に位置する表面保護膜３と背面保護膜４とが対面した状態で接合され、この接合された箇所における表面保護膜３の上面と背面保護膜４の下面とに、それぞれ多数の折曲溝４４、４５が表示素子４１〜４３の配列方向に沿って等間隔で互いに平行に設けられ、これにより複数の表示素子４１〜４３の間に位置する箇所が折れ曲がって装置全体が湾曲するように構成されている。
【００９２】
この場合、折曲溝４４、４５は、実施形態４と同様、断面が矩形状の溝であり、表示装置４０の長手方向と直交する幅方向に連続して形成されている。また、隣接する折曲溝４４、４５同士の間隔Ｓ１も、実施形態４と同様、各折曲溝４４、４５の溝幅Ｓ２とほぼ同じ大きさに形成されていることが望ましいが、背面保護膜４の湾曲性を高めるために、各折曲溝４４、４５の溝幅Ｓ２よりも小さくても良い。
【００９３】
このように、この表示装置４０によれば、透明な表面電極層５と背面電極層６との間に表示層７を設けた複数の表示素子４１〜４３と、この複数の表示素子４１〜４３を所定間隔離して配列した状態で各表示素子４１〜４３の上面に連続して設けられた透明な表面保護膜３と、各表示素子４１〜４３の下面に連続して設けられた背面保護膜４とを備え、複数の表示素子４１〜４３の間に位置する表面保護膜３の上面と背面保護膜４の下面とに、それぞれ多数の折曲溝４４、４５を各表示素子４１〜４３の配列方向に沿って等間隔で互いに平行に設けているので、表示素子４１〜４３の配列方向に沿って装置全体を上面側に向けて凸となるように湾曲させて腕に装着する際、複数の表示素子４１〜４３の間に位置する表面保護膜３と背面保護膜４との箇所で容易に折り曲げて、装置全体を腕の曲率に合わせて大きく湾曲させることができる。
【００９４】
すなわち、複数の表示素子４１〜４３の間に位置する表面保護膜３の上面と背面保護膜４の下面とには、図２０に示すように、多数の折曲溝４４、４５が各表示素子４１〜４３の配列方向に沿って等間隔で互いに平行に設けられているので、多数の折曲溝４４、４５によって複数の表示素子４１〜４３の間に位置する表面保護膜３と背面保護膜４とを容易に折り曲げて、装置全体を上面側に向けて凸となるように腕の曲率に合わせて大きく湾曲させることができると共に、装置全体を腕の曲率に合わせて湾曲させても、複数の表示素子４１〜４３が湾曲による影響をほとんど受けることがないので、複数の表示素子４１〜４３によって良好に情報を表示することができる。
【００９５】
この場合にも、表示装置４０は、複数の表示素子４１〜４３の透明な表面電極層５と背面電極層６との間にＥＬ発光層３２を設け、各表示素子４１〜４３の表面電極層５と背面電極層６とに電圧が選択的に印加されると、ＥＬ発光層３２が選択的に発光して情報を表示する構成であることにより、上面側に向けて凸となるように装置全体を腕の曲率に合わせて湾曲させても、表示素子４１〜４３によって良好に情報を表示することができるほか、ＥＬ発光層３２が湿気に弱くても、表面保護膜３および背面保護膜４によってＥＬ発光層３２を湿気から確実に保護することができる。
【００９６】
すなわち、この表示装置４０では、背面保護膜４が、複数の表示素子４１〜４３の背面電極層６に連続して積層される防湿性および光反射機能を有する合成樹脂製の第１背面フィルム層１４と、この第１背面フィルム層１４に積層される防湿性の高い合成樹脂製の第２背面フィルム層１５との２層構造であるから、表示素子４１〜４３の各ＥＬ発光層３２が湿気に弱くても、第１、第２背面フィルム層１４、１５によってＥＬ発光層３２を湿気から確実に保護することができると共に、背面電極層６が透明な合成樹脂製であっても、第１背面フィルム層１４によって各表示素子４１〜４３に入射した光を反射することができるので、下面側への漏れ光を防いで、表示を明るくすることができる。
【００９７】
また、この表示装置４０では、表面保護膜３が、防湿性の高い合成樹脂製の第１表面フィルム層１１と、紫外線吸収機能を備えた合成樹脂製の第２表面フィルム層１２との２層構造であるから、ＥＬ発光層３２が湿気に弱くても、第１表面フィルム層１１によってＥＬ発光層３２に対する防湿性を確保することができ、またＥＬ発光層３２が紫外線に弱くても、第２表面フィルム層１２によってＥＬ発光層３２を紫外線から保護することができ、これによりＥＬ発光層３２が湿気や紫外線によって劣化するのを防ぐことができるので、耐久性の高いものを得ることができる。
【００９８】
なお、上記実施形態５では、複数の表示素子４１〜４３の間に位置する表面保護膜３の上面と背面保護膜４の下面との両方に、それぞれ折曲溝４４、４５を設けた場合について述べたが、必ずしも表面保護膜３と背面保護膜４との両方に折曲溝４４、４５を設ける必要はなく、少なくとも背面保護膜４の下面のみに、多数の折曲溝４５を設けただけの構成でも良い。
【００９９】
また、上記実施形態５では、背面保護膜４の下面における複数の表示素子４１〜４３の間に位置する箇所に折曲溝４５を設けた場合について述べたが、これに限らず、例えば、実施形態３と同様、複数の表示素子４１〜４３の各下面に連続して設けられた背面保護膜４の全域に折曲溝を設けた構成でも良い。このように構成すれば、実施形態５と同様、複数の表示素子４１〜４３の間に位置する表面保護膜３と背面保護膜４とを容易に折り曲げて、上面側に向けて凸となるように装置全体を腕の曲率に合わせて湾曲させることができるほか、複数の表示素子４１〜４３に対応する箇所においても、腕の曲率に合わせて装置全体を上面側に向けて凸となるように良好に湾曲させることができる。
【０１００】
また、上記実施形態５およびその変形例では、３つの表示素子４１〜４３を配列した場合について述べたが、これに限らず、２つの表示素子を所定間隔離して配置し、その両者の間に位置する箇所の表面保護膜３の上面と背面保護膜４の下面とにそれぞれ多数の折曲溝４４、４５を設けた構成でも良く、また４つの表示素子を所定間隔離して配列し、その各表示素子の間に位置する箇所の表面保護膜３の上面と背面保護膜４の下面とにそれぞれ多数の折曲溝４４、４５を設けた構成でも良い。
【０１０１】
また、上記実施形態５およびその変形例においても、表面保護膜３の第２表面フィルム層１２と背面保護膜４の第２背面フィルム層１５とに断面が矩形状の折曲溝４４、４５、４８を設けた場合について述べたが、これに限らず、図６（ａ）〜図６（ｃ）に示した実施形態１の変形例と同様、断面が三角形状や台形状、半円形状の折曲溝１８ａ〜１８ｃを表示素子４１〜４３の配列方向に沿って等間隔で互いに平行に設けても良く、またこれらの各断面形状の折曲溝１８ａ〜１８ｃを組み合わせて設けても良い。
【０１０２】
また、上記実施形態５およびその変形例においても、表示素子４１〜４３の配列方向に対して直交する幅方向の長さが、一般的な腕時計の表示部の幅とほぼ同じ大きさに形成した場合について述べたが、これに限らず、図７（ａ）に示した実施形態１の変形例と同様、各表示素子４１〜４３の幅方向の長さを一般的な腕時計の表示部の幅よりも十分に長く形成した幅広のものでも良く、また図７（ｂ）に示した実施形態１の変形例と同様、各表示素子４１〜４３の幅方向の長さを一般的な腕時計の表示部の幅よりも短く形成した幅狭で、その長手方向に沿って情報を表示する構成のものでも良い。
【０１０３】
さらに、上記実施形態４、５では、表示素子３１、４１〜４３が、表面電極層５と背面電極層６との間にＥＬ発光層３２を設け、この状態で表面電極層５と背面電極層６とに電圧が印加されると、ＥＬ発光層３２が選択的に発光して情報を表示する構成である場合について述べたが、これに限らず、例えば表面電極層５と背面電極層６との間に液晶層を設け、表面電極層５と背面電極層６とに電圧を選択的に印加して、液晶層の液晶分子の配向を選択的に変化させることにより、液晶層の光透過状態を選択的に変化させて情報を表示する液晶表示素子を用いても良い。
【０１０４】
なおまた、上記実施形態１〜５およびその各変形例では、腕に装着して使用する腕装着型の表示装置に適用した場合について述べたが、必ずしも腕装着型の電子機器である必要はなく、自動車のメータなど、湾曲させて使用する電子機器などの表示装置にも広く適用することができる。
【図面の簡単な説明】
【０１０５】
【図１】この発明の実施形態１に係わる表示装置を示した要部の斜視図である。
【図２】図１のＡ−Ａ矢視における拡大断面図である。
【図３】図１のＢ−Ｂ矢視における拡大断面図である。
【図４】図１の表示装置を湾曲させて腕に装着する状態を示した斜視図である。
【図５】図４の要部を示した拡大側面図である。
【図６】この発明の実施形態１の折曲溝の各変形例を示し、（ａ）は断面が三角形状の折曲溝を示した要部の拡大断面図、（ｂ）は断面が台形状の折曲溝を示した要部の拡大断面図、（ｃ）は断面が半円形状の折曲溝を示した要部の拡大断面図である。
【図７】この発明の実施形態１の表示装置の各変形例を示し、（ａ）は幅広の表示装置を示した斜視図、（ｂ）は幅狭の表示装置を示した斜視図である。
【図８】この発明の実施形態２に係わる表示装置を示した要部の平面図である。
【図９】図８のＣ−Ｃ矢視における拡大断面図である。
【図１０】図８の表示装置を湾曲させて腕に装着する状態を示した斜視図である。
【図１１】図１０の状態における表示装置の拡大側面図である。
【図１２】図１１のＡ部を示した拡大側面図である。
【図１３】この発明の実施形態３に係わる表示装置を示した要部の拡大断面図である。
【図１４】図１３の表示装置を湾曲させた状態を示した拡大側面図である。
【図１５】図１４のＢ部を示した拡大側面図である。
【図１６】この発明の実施形態４に係わる表示装置を示した要部の斜視図である。
【図１７】図１６のＤ−Ｄ矢視における拡大断面図である。
【図１８】図１６のＥ−Ｅ矢視における拡大断面図である。
【図１９】この発明の実施形態５に係わる表示装置を示した要部の平面図である。
【図２０】図１９のＦ−Ｆ矢視における拡大断面図である。
【符号の説明】
【０１０６】
１、２０、２７  表示装置
２、２１〜２３  表示素子
３  表面保護膜
４  背面保護膜
５  表面電極層
６  背面電極層
７  表示層
９  マイクロカプセル
１１、１２  第１、第２表面フィルム層
１４、１５  第１、第２背面フィルム層
１７、１８ａ〜１８ｃ、２４、２５、２８  折曲溝
３０、４０、４７  表示装置
３１、４１〜４３  表示素子
３２  ＥＬ発光層
３３、４４、４５  折曲溝
【図１】
2008107440.tif 000003
【図２】
2008107440.tif 000004
【図３】
2008107440.tif 000005
【図４】
2008107440.tif 000006
【図５】
2008107440.tif 000007
【図６】
2008107440.tif 000008
【図７】
2008107440.tif 000009
【図８】
2008107440.tif 000010
【図９】
2008107440.tif 000011
【図１０】
2008107440.tif 000012
【図１１】
2008107440.tif 000013
【図１２】
2008107440.tif 000014
【図１３】
2008107440.tif 000015
【図１４】
2008107440.tif 000016
【図１５】
2008107440.tif 000017
【図１６】
2008107440.tif 000018
【図１７】
2008107440.tif 000019
【図１８】
2008107440.tif 000020
【図１９】
2008107440.tif 000021
【図２０】
2008107440.tif 000022